(57)【要約】【課題】写真、デザイン、絵画等を貼り付けたピースを含み、そのピースを入れ替えられるジグソーパズルを提供する。【解決手段】一つまたは複数のピース２からなり、特定ピース１を含むジグソーパズル２０であって、特定ピース１には、写真、デザインあるいは絵画がプリントされているとともに、特定ピース１の周囲には、所定の月数のカレンダー４がプリントされており、特定ピース１と同一の形状を有し、写真、デザインあるいは絵画を貼り付け又はプリントした代替ピース１Ａを備えていることを特徴とする。また、代替ピース１Ａは、台紙と、該台紙の一面に設けられた貼着可能なシールとから構成され、写真、デザインあるいは絵画を貼り付け可能になっていてもよく、マグネットシートを備えていてもよい。【選択図】図１
0003120777.tif 000002
【実用新案登録請求の範囲】
【請求項１】
複数のピースからなり、特定ピースを含むジグソーパズルであって、前記特定ピースには、写真、デザインあるいは絵画がプリントされているとともに、前記特定ピースの周囲には、所定の月数のカレンダーがプリントされており、前記特定ピースと同一の形状を有し、写真、デザインあるいは絵画を貼り付け又はプリントした代替ピースを備えていることを特徴とするジグソーパズル。
【請求項２】
一つの特定ピースからなるジグソーパズルであって、前記特定ピースには、写真、デザインあるいは絵画がプリントされているとともに、前記特定ピースの周囲には、所定の月数のカレンダーがプリントされており、前記特定ピースと同一の形状を有し、写真、デザインあるいは絵画を貼り付け又はプリントした代替ピースを備えていることを特徴とするジグソーパズル。
【請求項３】
前記代替ピースは、台紙と、該台紙の一面に設けられた貼着可能なシールとから構成され、写真、デザインあるいは絵画を貼り付け可能になっていることを特徴とする請求項１又は２に記載のジグソーパズル。
【請求項４】
前記代替ピースには、前記シールを介して写真が貼り付けられており、該写真は、所定の携帯プリンタからプリントアウトされたものであることを特徴とする請求項３に記載のジグソーパズル。
【請求項５】
前記携帯プリンタは、携帯電話から赤外線通信によりあるいはメモリカードから読み取って取得したデジタル画像データをプリントアウトするものであることを特徴とする請求項４に記載のジグソーパズル。
【請求項６】
前記代替ピースには、前記シールを介して写真が貼り付けられており、該写真はインスタントカメラで撮影され、前記代替ピースの大きさに対応して切り取られたものであることを特徴とする請求項３に記載のジグソーパズル。
【請求項７】
前記代替ピースは、マグネットシートを備えていることを特徴とする請求項１乃至６のいずれかに記載のジグソーパズル。
【請求項８】
前記所定の月数は６月であり、特定の月から６月分のカレンダーが前記ジグソーパズルにプリントされていることを特徴とする請求項１乃至７のいずれかに記載のジグソーパズル。
【請求項９】
前記ジグソーパズルが複数のピースからなり、前記特定ピースを複数備えていることを特徴とする請求項１及び請求項３乃至８のいずれかに記載のジグソーパズル。
【考案の詳細な説明】
【技術分野】
【０００１】
本考案は、写真、デザイン、絵画等を貼り付け等したピースを含み、そのピースを入れ替え可能にしたジグソーパズルに関するものである。
【背景技術】
【０００２】
従来、絵画や写真、デザイン等を複数のピースに分割し、一旦ばらばらにした後これらを組み合わせて元の図柄を再現するジグソーパズルは古くからゲームの一種として楽しまれている。
また、そのようなジグソーパズルに、写真、デザイン、絵画等とともに、カレンダーを印刷等することも知られている（例えば、実用新案登録第３０４７７４８号、実用新案登録第３０７６９９４号等を参照）。
しかしながら、特定のピースの形状に対応する形状を有するピース（本明細書では、以下、「代替ピース」という）を別途準備し、それを入れ替え可能にしたジグソーパズルは存在していない。
【考案の開示】
【考案が解決しようとする課題】
【０００３】
そこで、本考案は、写真、デザイン、絵画等を貼り付け等したピースを含み、そのピースを入れ替え可能にしたジグソーパズルを提供することを目的とする。
【課題を解決するための手段】
【０００４】
上記課題を解決するために、本考案者は鋭意検討の結果、下記の通り解決手段を見出した。
すなわち、本考案のジグソーパズルは、一実施形態において、請求項１に記載の通り、複数のピースからなり、特定ピースを含むジグソーパズルであって、前記特定ピースには、写真、デザインあるいは絵画がプリントされているとともに、前記特定ピースの周囲には、所定の月数のカレンダーがプリントされており、前記特定ピースと同一の形状を有し、写真、デザインあるいは絵画を貼り付け又はプリントした代替ピースを備えていることを特徴とする。
また、本考案のジグソーパズルは、他の実施形態において、請求項２に記載の通り、一つの特定ピースからなるジグソーパズルであって、前記特定ピースには、写真、デザインあるいは絵画がプリントされているとともに、前記特定ピースの周囲には、所定の月数のカレンダーがプリントされており、前記特定ピースと同一の形状を有し、写真、デザインあるいは絵画を貼り付け又はプリントした代替ピースを備えていることを特徴とする。
また、請求項３に記載のジグソーパズルは、請求項１又は２に記載のジグソーパズルにおいて、前記代替ピースは、台紙と、該台紙の一面に設けられた貼着可能なシールとから構成され、写真、デザインあるいは絵画を貼り付け可能になっていることを特徴とする。
また、請求項４に記載のジグソーパズルは、請求項３に記載のジグソーパズルにおいて、前記代替ピースには、前記シールを介して写真が貼り付けられており、該写真は、所定の携帯プリンタからプリントアウトされたものであることを特徴とする。
また、請求項５に記載のジグソーパズルは、請求項４に記載のジグソーパズルにおいて、前記携帯プリンタは、携帯電話から赤外線通信によりあるいはメモリカードから読み取って取得したデジタル画像データをプリントアウトするものであることを特徴とする。
また、請求項６に記載のジグソーパズルは、請求項３に記載のジグソーパズルにおいて、前記代替ピースには、前記シールを介して写真が貼り付けられており、該写真はインスタントカメラで撮影され、前記代替ピースの大きさに対応して切り取られたものであることを特徴とする。
また、請求項７に記載のジグソーパズルは、請求項１乃至６のいずれかに記載のジグソーパズルにおいて、前記代替ピースは、マグネットシートを備えていることを特徴とする。
また、請求項８に記載のジグソーパズルは、請求項１乃至７のいずれかに記載のジグソーパズルにおいて、前記所定の月数は６月であり、特定の月から６月分のカレンダーが前記ジグソーパズルにプリントされていることを特徴とする。
また、請求項９に記載のジグソーパズルは、請求項１及び請求項３乃至８のいずれかに記載のジグソーパズルにおいて、前記ジグソーパズルが複数のピースからなり、前記特定ピースを複数備えていることを特徴とする。
【考案の効果】
【０００５】
本考案によれば、カレンダーを印刷しているジグソーパズルにおいて、一つ又は複数の特定のピースを代替ピースと入れ替えて、その代替ピースを嵌め込むことにより、その人だけのプライベートジグソーパズルをいくつものパターンで作成することができる。また、その写真等の部分のみを瞬時に入れ替えることができるので、そのようなプライベートジグソーパズルを容易に作成して、楽しむことができる。また、カレンダーの使用期限後には、その代替ピースを携帯等して利用することもできる。
さらに、携帯可能なプリンタやデジタルカメラ、携帯電話等を利用することにより、代替ピースを容易に作成することができ、出先や旅先で手軽にプライベートジグソーパズルを作成して、楽しむことができる。
また、そのような代替ピースにマグネットシートを備える場合には、マグネットを貼り付け可能な場所（例えば、冷蔵庫、キャビネット等）にジグソーパズル（カレンダー）として使用していない代替ピースを貼り付けることができ、使用していない代替ピースを有効利用することができる。
【考案を実施するための最良の形態】
【０００６】
本考案の第１の実施の形態は、複数のピースからなり、特定ピースを含むジグソーパズルであって、特定ピースには、写真、デザインあるいは絵画がプリントされているとともに、特定ピースの周囲には、所定の月数のカレンダーがプリントされており、前記特定ピースと同一の形状を有し、写真、デザインあるいは絵画を貼り付け又はプリントした代替ピースを備えているものである。本実施の形態によれば、特定ピースと代替ピースとを入れ替えることにより、いくつものパターンのプライベートジグソーパズルを楽しむことができる。
また、本考案の第２の実施の形態は、一つの特定ピースからなるジグソーパズルであって、特定ピースには、写真、デザインあるいは絵画がプリントされているとともに、特定ピースの周囲には、所定の月数のカレンダーがプリントされており、特定ピースと同一の形状を有し、写真、デザインあるいは絵画を貼り付け又はプリントした代替ピースを備えているものである。本実施形態によれば、特定ピースと代替ピースとを入れ替えることにより、いくつものパターンのプライベートジグソーパズルを楽しむことができる。
また、本考案の第３の実施の形態は、第１又は第２の実施の形態において、代替ピースは、台紙と、該台紙の一面に設けられた貼着可能なシールとから構成され、写真、デザインあるいは絵画を貼り付け可能になっているものである。本実施の形態によれば、自分で撮影した写真やお気に入りの絵画、デザイン等をシールを介して貼り付けることにより、プライベートジグソーパズル（プライベートで使用可能なジグソーパズル）を楽しむことができる。
また、本考案の第４の実施の形態は、第３の実施の形態において、代替ピースには、シールを介して写真が貼り付けられており、該写真は、所定の携帯プリンタからプリントアウトされたものである。本実施の形態によれば、携帯可能なプリンタを利用してプリントアウトした写真を代替ピースに貼り付けることができるので、出先や旅先で手軽にプライベートジグソーパズルを作成して、楽しむことができる。
また、本考案の第５の実施の形態は、第４の実施の形態において、携帯プリンタは、携帯電話から赤外線通信によりあるいはメモリカードから読み取って取得したデジタル画像データをプリントアウトするものである。本実施の形態によれば、出先や旅先でプライベートジグソーパズルを容易に作成して、楽しむことができる。
また、本考案の第６の実施の形態は、第３の実施の形態において、代替ピースには、前記シールを介して写真が貼り付けられており、該写真はインスタントカメラで撮影され、前記代替ピースの大きさに対応して切り取られたものである。本実施の形態によれば、撮影されたインスタント写真を代替ピースの大きさに合わせて切り取ることにより、手軽にプライベートジグソーパズルを作成して、楽しむことができる。
また、本考案の第７の実施の形態は、第１乃至６のいずれかの実施の形態において、代替ピースは、マグネットシートを備えているものである。本実施の形態によれば、代替ピースにマグネットシートが備えられていることにより、マグネットを貼り付け可能な場所（例えば、冷蔵庫、キャビネット等）にジグソーパズル（カレンダー）として使用していない代替ピースを貼り付けることができ、使用していない代替ピースを有効に利用することができる。
また、本考案の第８の実施の形態は、第１乃至７のいずれかの実施の形態において、所定の月数は６月であり、特定の月から６月分のカレンダーがジグソーパズルにプリントされているものである。本実施の形態によれば、適当な月から６月間分のカレンダーをプリントしているので、例えば、必要に応じて、あるいは契約等によりカレンダーを作成する場合、１月又は７月から始めるように作成する必要がなく、いつでも適当な月からのカレンダー付きジグソーパズルを作成することができる。
また、本考案の第９の実施の形態は、第１及び第３乃至８のいずれかの実施の形態において、ジグソーパズルが複数のピースからなり、特定ピースを複数備えているものである。本実施の形態によれば、複数の代替ピースを一度に入れ替えることができ、いくつものパターンのプライベートジグソーパズルを更に楽しむことができる。
【実施例】
【０００７】
次に、本考案のジグソーパズルについて図１及び図２を参照して詳細に説明する。図１は、本考案のジグソーパズルの一実施例を説明するための図であり、図２は、本考案のジグソーパズルの他の実施例を説明するための図である。
まず、本考案の一実施例を説明する。図１に示すように、本考案の一実施例におけるジグソーパズル１０は、図柄（デザイン）がプリントされ、その図柄が複数に分割されたジグソーパズルであって、一つの特定ピース１と、複数のピース２と、これらのピースを入れるための枠部６とから構成されている。なお、本考案のジグソーパズル１０では、枠部６がなくてもよい。
このジグソーパズル１０には、例えば、その年の西暦や年号３と、１月〜６月までの６ヶ月分のカレンダー４と、カレンダー付きジグソーパズル１０の作成を依頼した会社の会社名５等がプリントされている。また、特定ピース１には、その年の干支等がプリントされている。なお、この本考案のジグソーパズル１０（以下のジグソーパズル２０も同様）は、プラスチック等の入れ物に入れて、テーブル等に置いて立てかけることにより、プライベートな卓上カレンダーとして利用することができる。
なお、ジグソーパズル１０にプリントするカレンダー４は、図１のように、１月から始まるものに限らず、利用者が適宜決めた月から６ヶ月分のものであってもよい。さらに、プリントされるカレンダーの月数も、６月に限定されず、３月、１年等であってもよい。
また、特定ピース１が配置される位置は、図１のようにジグソーパズルのほぼ中央に限らず、プリントされるカレンダーとの関係で適当な場所に配置されてもよい。また、特定ピース１の数は、本実施例のように、１つに限らず、二つ又はそれ以上の特定ピースを配置してもよい。この場合には、複数の代替ピース１Ａを一度に入れ替えることができ、いくつものパターンのプライベートジグソーパズルを楽しむことができる。
本実施例では、ジグソーパズル１０は、この特定ピース１と入れ替え可能な複数（例えば、３つ）の代替ピース１Ａ（ここでは、一つの代替ピースのみを示す）を備えており、特定ピース１を代替ピース１Ａと入れ替えることにより、手軽にプライベートジグソーパズルを楽しむことができる。
【０００８】
ここで、代替ピース１Ａは、台紙と、該台紙の一面に設けられた貼着可能なシールとから構成され、写真、デザインあるいは絵画を貼り付け可能になっている。そして、本実施例では、代替ピース１Ａには、シールを介して写真（例えば、結婚式やイベント等における家族写真）が貼り付けられており、この写真は、携帯電話から赤外線通信によりあるいはメモリカードから読み取って取得したデジタル画像データをプリントアウトすることができる携帯プリンタからプリントアウトされたものである。なお、上記写真は、ポラロイド（登録商標）等のインスタントカメラで撮影され、代替ピース１Ａの大きさに対応して切り取られたものであってもよい。
また、この代替ピース１Ａは、マグネットシートを備えていてもよい。この場合、マグネットを貼り付け可能な場所（例えば、冷蔵庫、キャビネット等）にジグソーパズル（カレンダー）として使用していない代替ピース１Ａを貼り付けることができ、使用していない代替ピース１Ａを有効に利用することができる。さらに、カレンダーの使用期限後には、その代替ピース１Ａをマグネットとして利用することもできる。
【０００９】
次に、代替ピース１Ａの作成方法を説明する。
プライベートジグソーパズルとして、利用者に楽しんでもらうために、ジグソーパズル１０は、複数の代替ピース１Ａを付属しており、これらの代替ピース１Ａは、利用者の嗜好に合わせて、例えば、自分で撮影した写真やお気に入りの絵画、デザイン等を貼り付けることが可能である。そのため、代替ピース１Ａは、シールを保護するための保護シート（図示せず）を貼り付けている。
代替ピース１Ａに写真等を貼り付ける場合には、お好みの写真等を準備し、保護シートを剥がして、粘着性のシールを曝し、代替ピース１Ａの大きさに合わせて適当に位置決めし、そのシール上にそのお好みの写真等を貼り付ける。次に、はさみやカッターナイフを用いて代替ピース１Ａからはみ出している部分を切り取り調整して、利用者だけのプライベートジグソーパズルを構成する代替ピース１Ａが完成する。このように、本考案のジグソーパズル１０では、代替ピース１Ａを簡単に作成することができる。
【００１０】
次に、本考案の他の実施例を説明する。図２に示すように、本考案の他の実施例におけるジグソーパズル２０は、一つのピースからなるジグソーパズルであって、この一つのピースが特定ピース１を構成する。なお、図２では、特定ピース１を代替ピース１Ａに入れ替えた状態を示している。
このように、ただ一つのピースから構成されるものであっても、本考案では、ジグソーパズルと考えることができ、その特定ピース１を代替ピース１Ａと入れ替えることにより、上述のような本考案の効果を奏することができる。
本実施例においても、上記実施例と同様に、二つ又はそれ以上の特定ピース１を配置してもよい。この場合には、複数の特定ピース１（代替ピース１Ａ）のみのジグソーパズルを構成することになる。
【００１１】
以上説明したように、本考案では、特定ピース１を代替ピース１Ａと入れ替えることができ、また、代替ピースには写真等の利用者の嗜好に合わせた図柄を貼り付けることができるので、手軽にプライベートジグソーパズルを作成して、楽しむことができる。
なお、本考案では、代替ピース１Ａとカレンダー４以外の部分には、どのような図柄がプリント等されていてもよい。
【図面の簡単な説明】
【００１２】
【図１】本考案のジグソーパズルの一実施例を説明するための図
【図２】本考案のジグソーパズルの他の実施例を説明するための図
【符号の説明】
【００１３】
１    特定ピース
１Ａ  代替ピース
２    ピース
３    年号等
４    カレンダー
５    会社名等
６    枠部
１０    ジグソーパズル
２０    ジグソーパズル
【図１】
0003120777.tif 000003
【図２】
0003120777.tif 000004